(57)【特許請求の範囲】
【請求項１】
外断熱複合パネル（Ｐ０）を備えたコンクリート耐力壁（Ｗ）間の開口部（Ｒ）では、床スラブ（Ｓ）のコンクリート型枠組み時に、アンカー片（３ｄ）及び水平片（３ａ）を備えたプレート受（３）を、水平片（３ａ）が床スラブ（Ｓ）のコンクリートを被冠しないように床スラブ型枠の前端部にセットし、次いで、耐力壁（Ｗ）部と床スラブ（Ｓ）への床コンクリート打設によってプレート受（３）を床スラブ（Ｓ）と一体化固定し、次いで、外断熱複合パネル（Ｐ）の下枠（５ｂ）下面に位置する各プレート受間（Ｌｓ）には、前縁にシーリングゴム（２１）を備えた断熱材（２０）を配置し、次いで、外断熱複合パネル（Ｐ）の上枠（５ａ）、及び／又は、下枠（５ｂ）の取付孔（Ｈ，Ｈ１）と取付プレート（４）前部の連結ピン孔（Ｈ２）とに連結ピン（６）を挿通係止し、パネル（Ｐ）の下枠（５ｂ）を係止支承した取付プレート（４）後部をプレート受（３）の水平片（３ａ）上に位置調整して載置し、取付プレート（４）を固定孔（Ｈｍ）を介してプレート受（３）に固定し、次いで、各断熱材（２０）間に存在する取付金具（３，４）周りの空隙（ｄ２）に現場発泡断熱材を充填する、鉄筋コンクリート造壁式構造の外断熱建築物に於ける帳壁取付方法。
【請求項２】
外断熱複合パネル（Ｐ０）を備えたコンクリート耐力壁（Ｗ）間の開口部（Ｒ）では、床スラブ（Ｓ）のコンクリート型枠組み時に、アンカー片（１３ｄ）及び垂直片（１３ｂ）を備え、垂直片（１３ｂ）にはコンクリート止めボックス（１３ｃ）で保護されたボルト（１３ｅ）を前方に横長孔（Ｈ４）を介して突出させたプレート受（１３）を、プレート受（１３）前面に床スラブコンクリートが廻り込まないように設置し、次いで、耐力壁（Ｗ）部と床スラブ（Ｓ）へのコンクリート打設によってプレート受（１３）を床スラブ（Ｓ）前端部に一体化固定し、次いで、外断熱複合パネル（Ｐ）の下枠（５ｂ）下面に位置する各プレート受間（Ｌｓ）には、前縁にシーリングゴム（２１）を備えた断熱材（２０）を配置し、次いで、外断熱複合パネル（Ｐ）の上枠（５ａ）、及び／又は、下枠（５ｂ）の取付孔（Ｈ，Ｈ１）と取付プレート（１４）の水平片（１４ａ）前部の連結ピン孔（Ｈ２）とに連結ピン（６）を挿通係止し、パネル下枠（５ｂ）を係止支承した取付プレート（１４）の垂直片（１４ｂ）の縦長孔（Ｈ５）をボルト（１３ｅ）に嵌合してプレート受（１３）の横長孔（Ｈ４）とで上下左右位置調整しながら取付プレート（１４）をプレート受（１３）にボルト締着し、次いで、各断熱材（２０）間に存在する取付金具（１３，１４）周りの空隙（ｄ２）に現場発泡断熱材を充填する、鉄筋コンクリート造壁式構造の外断熱建築物に於ける帳壁取付方法。
【請求項３】
連結ピン（６）を全ねじボルトとし、外断熱複合パネル（Ｐ）の２階以上のパネル（Ｐ）にあっては上枠（５ａ）の取付孔（Ｈ）のみを、１階のパネル（Ｐ）にあっては上枠（５ａ）及び下枠（５ｂ）の連結孔（Ｈ）をねじ孔とし、連結ピン（６）をねじ孔の連結孔（Ｈ）に螺入固定して取付プレート（４，１４）の連結ピン孔（Ｈ２）に挿通係止する、請求項１又は２の帳壁取付方法。
【請求項４】
連結ピン（６）を全ねじボルトとし、取付プレート（４，１４）の連結ピン孔（Ｈ２）をねじ孔として連結ピン（６）を取付プレート（４，１４）に螺入固定し、取付プレート（４，１４）から突出した連結ピン（６）を上方の外断熱複合パネル（Ｐ）の下枠（５ｂ）、及び／又は、下方のパネル（Ｐ）の上枠（５ａ）の取付孔（Ｈ１）に挿通係止する、請求項１又は２の帳壁取付方法。
【請求項５】
外断熱複合パネル（Ｐ）の下端（Ｂｅ）を床スラブ上面（Ｓｆ）より下方となるように固定する請求項１乃至４のいずれか１項の帳壁取付方法。
【請求項６】
請求項１記載の帳壁取付方法に用いる取付用金具であって、コンクリート床スラブ（Ｓ）に固定するプレート受（３）と、複合パネル（Ｐ）の上枠（５ａ）又は下枠（５ｂ）と当接する取付プレート（４）と、パネル上枠（５ａ）、及び／又は、下枠（５ｂ）と、取付プレート（４）とに嵌入する連結ピン（６）とを含み、プレート受（３）は、平板状の水平片（３ａ）と垂直片（３ｂ）とのアングル形態であり、垂直片（３ｂ）が後方へ突出するアンカー片（３ｄ）及び釘孔（Ｈｎ）を備えると共に、水平片（３ａ）が両側及び後側を囲う立設コンクリート止（３ｃ）を備え、取付プレート（４）は平鋼板であって前部には連結ピン孔（Ｈ２）を、後部には固着用孔（Ｈｍ）を備えた複合パネル取付金具。
【請求項７】
プレート受（３）は、アンカー片（３ｄ）として先端に下方屈曲部（３ｄ´）を備えた棒鋼を垂直片（３ｂ）に溶接固定し、コンクリート止（３ｃ）として薄板の３側辺を起立し、薄板を水平片（３ａ）下面に当接して各起立片が水平片（３ａ）から起立する形態に溶接固定した請求項６の取付金具。
【請求項８】
取付プレート（４）が方形平板であって左右長さ（Ｌ４）がプレート受の水平片（３ａ）の左右長さ（Ｌ３）より小である請求項６又は７の取付金具。
【請求項９】
請求項２記載の帳壁取付方法に用いる取付用金具であって、コンクリート床スラブ（Ｓ）に固定するプレート受（１３）と、複合パネル（Ｐ）の上枠（５ａ）又は下枠（５ｂ）と当接する取付プレート（１４）と、パネル上枠（５ａ）、及び／又は、下枠（５ｂ）と、取付プレート（４）とに嵌入する連結ピン（６）とを含み、プレート受（１３）は、垂直片（１３ｂ）にアンカー片（１３ｄ）を後方へ突出固定すると共に、釘孔（Ｈｎ）を適所に配設し、垂直片後面に止着したコンクリート止めボックス（１３ｃ）から横長孔（Ｈ４）を介してボルト（１３ｅ）を前面に突出させ、取付プレート（１４）は、断面アングル形状の鋼板であって、後部の垂直片（１４ｂ）にはボルト（１３ｅ）の挿通用縦長孔（Ｈ５）を配置し、水平片（１４ａ）の前部には連結ピン孔（Ｈ２）を配設した複合パネル取付金具。
【請求項１０】
連結ピン（６）が全ねじボルトであり、取付プレート（４，１４）の連結ピン孔（Ｈ２）が連結ピン挿通用孔である請求項６乃至９のいずれか１項のパネル取付金具。
【請求項１１】
連結ピン（６）が全ねじボルトであり、取付プレート（４，１４）の連結ピン孔（Ｈ２）が連結ピン螺合用ねじ孔である請求項６乃至９のいずれか１項のパネル取付金具。
【発明の詳細な説明】
【０００１】
【発明の属する技術分野】
本発明は、鉄筋コンクリート造壁式構造の外断熱建築物の建築に於ける外壁の取付方法、及び取付金具に関するものであり、詳しくは、押出成形セメント板と断熱層と石膏ボード等の内装材とを一体化した外断熱乾式密着型の複合パネルを鉄筋コンクリート造の中低層建築物（３〜９階）の外壁として取付ける方法、及び使用する取付金具に関するものであって、鉄筋コンクリート建築の分野に属するものである。
【０００２】
【従来の技術】
従来の、外断熱の鉄筋コンクリート造壁式構造建築物にあっては、外壁は、例えば図９に示す如く、（イ）外装材、通気層、断熱材をコンクリート壁外側に形成した通気層型、（ロ）外装材、断熱材をコンクリート壁外側に形成した密着層型、（ハ）外装材、断熱材、密閉空気層をコンクリート壁外側に形成した密閉空気層型、（ニ）外装材、保護壁、断熱材をコンクリート壁外側に形成した二重層型の各タイプが存在する。
【０００３】
図９（Ｂ）は、上記（ロ）の密着層型の外壁形成の略示であり、コンクリート壁型枠組立時に、パネルセパレータ、コンクリートセパレータ、ＰＫコン、Ｐコンを用いて外装材と断熱材から成る複合パネルを外型枠として兼用し、内側の型枠との間にコンクリート壁を打設形成し、外側パネルとコンクリート壁とを一体的に形成している。
【０００４】
即ち、従来の外断熱の鉄筋コンクリート造壁式構造建築物での外壁は、使用する複合パネルに差はあっても、コンクリート壁の打設によって外断熱の外壁を形成しており、耐力壁部も帳壁部も全て複合パネルとコンクリート壁を一体化しており、外断熱鉄筋コンクリート造壁式構造建築物にあって、外壁の帳壁部を複合パネルのみで形成することは新規であり、鉄筋コンクリート造外断熱建築物の外壁形成にあって、複合パネルのみで帳壁を形成する技術は存在しない。
【０００５】
また、鉄骨造建築物ではあるが、外断熱複合パネルで帳壁を形成する技術は、本願出願人等により特願平９−１４４２５６号（特開平１０−３３１３０６号）として既に提案した。
該特願平９−１４４２５６号の複合パネル取付技術は、図１０に示す如く、本願出願人等の所有する特許第２９９９９８０号（特願平９−１５２６２８号）の外断熱複合パネルの上下枠を、各対応梁に固着した下枠用の下部取付金具、及び上枠用の上部取付金具を介して帳壁として張設し、１階下枠は床スラブに埋設したアングル金具に直接取付けるものである。
即ち、鉄骨造建築物にあっては、鉄骨構造体が強度を負担し、且つ各階に梁が存在するため複合パネルを帳壁として張設可能であった。
【０００６】
【発明が解決しようとする課題】
従来の鉄筋コンクリート造壁式構造の建築物にあっては、内断熱タイプも外断熱タイプも共に、外壁は耐力壁部も非耐力壁部もコンクリート壁であるため、外壁全てがコンクリート型枠工を必要とし、特に複合パネルを外型枠に組込む壁式構造の外断熱鉄筋コンクリート造にあっては、建築施工コスト中に占める型枠工のコスト比率が高く、結局、壁式構造の鉄筋コンクリート造にあっては、外断熱建築は、内断熱建築より３０％前後のコスト高となり、外断熱建築物の普及の阻害要因となっていた。
【０００７】
本願発明は、壁式構造の鉄筋コンクリート造に於いて、耐力壁部以外のコンクリート壁を除去して外壁の開口部とし、該開口部に外断熱複合パネルを帳壁として取付け可能とする技術手段を開発し、鉄筋コンクリート造壁式構造の外断熱建築物を画期的な低コストで提供可能とするものである。
【０００８】
【課題を解決するための手段及び作用】
本願帳壁の第１の取付方法の発明は、例えば、図１，図２に示す如く、外断熱複合パネルＰ０を備えたコンクリート耐力壁Ｗ間の開口部Ｒでは、床スラブＳのコンクリート型枠組み時に、アンカー片３ｄ及び水平片３ａを備えたプレート受３を、水平片３ａが床スラブＳのコンクリートを被冠しないように床スラブ型枠の前端部にセットし、次いで、耐力壁Ｗ部と床スラブＳへの床コンクリート打設によってプレート受３を床スラブＳと一体化固定し、次いで、外断熱複合パネルＰの下枠５ｂ下面に位置する各プレート受間Ｌｓには、前縁にシーリングゴム２１を備えた断熱材２０を配置し、次いで、外断熱複合パネルＰの上枠５ａ、及び／又は、下枠５ｂの取付孔Ｈ，Ｈ１と取付プレート４前部の連結ピン孔Ｈ２とに連結ピン６を挿通係止し、パネルＰの下枠５ｂを係止支承した取付プレート４後部をプレート受３の水平片３ａ上に位置調整して載置し、取付プレート４を固定孔Ｈｍを介してプレート受３に固定し、次いで、各断熱材２０間に存在する取付金具３，４周りの空隙ｄ２に現場発泡断熱材を充填して外断熱複合パネルＰのみの帳壁を取付ける。
【０００９】
尚、プレート受３のコンクリート型枠へのセットに際しては、アンカー片３ｄをコンクリート配筋と締結すると好ましく、プレート受３としてアングル形態鋼板を採用すればコンクリート型枠への固定が釘、ボルト等の手段で確実に実施出来る。
また、プレート受３の水平片３ａを床スラブＳのコンクリート被冠から保護する手段としては、水平片３ａの周囲にコンクリート流入防止枠をセットしても良く、水平片３ａ自体にコンクリート止３ｃ（図６）を付設しても良い。
固定孔Ｈｍは、溶接孔として両者を溶接一体化するのが好ましく、固定孔Ｈｍをボルト孔又はねじ孔とし、慣用のねじ手段によって取付プレート４をプレート受３に固定しても良い。
また、耐力壁Ｗ部にあっては、外断熱複合パネルＰ０をコンクリート外側型枠として用いる従来の手段（図９（イ）〜（ニ））で構築すれば良く、耐力壁Ｗ間の開口部Ｒに張設する帳壁用の外断熱複合パネルＰとしては、特許第２９９９９８０号の外断熱複合パネルを適用すれば良い。
【００１０】
本取付方法によれば、プレート受３は、コンクリート型枠組み時に所定位置に、水平片３ａがコンクリートを被冠しないように設置し、耐力壁Ｗ部及び床スラブＳへのコンクリート打設によって床スラブと一体化固定するため、位置設定が容易で強固に固定出来る。また、パネル枠５ａ、及び／又は、５ｂと連結ピン６で係合した取付プレート４は、表面にコンクリートの付着していない水平片３ａ上に載置して前後左右に位置調整しながらプレート受３と固定するため、取付プレート４上に、パネル下枠５ｂのみを係合する場合（１階）も、パネル上枠５ａのみを係合する場合（最上階）も、上枠５ａと下枠５ｂで挟着形態に係合する場合（中間階）でも、パネルの張設がスムーズに、且つ外壁としての必要外観を充足する形態に容易に取付けられる。
尚、取付プレート４の上下動調整は、取付プレート４とプレート受水平片３ａ間に板金等の飼物を挟着すれば良い。
【００１１】
従って、鉄筋コンクリート造壁式構造の外断熱建築物では予想すら出来なかった、耐力壁Ｗ部以外の外壁は外断熱複合パネルＰのみの帳壁と出来、従来の鉄筋コンクリート造壁式構造外断熱建築物に比して、外壁コンクリートの型枠工事、及びコンクリート使用量が大幅に低減出来、建築コストを画期的に低減化出来た鉄筋コンクリート造壁式構造外断熱建築物の提供が可能となる。
【００１２】
そして、上下パネルＰ間の大部分を占める取付プレート間Ｌｓに各パネルＰと同等の断熱機能を付与出来て、複合パネルＰのみの張設で形成した帳壁部も耐力壁Ｗ部と均等の断熱壁と出来、シーリングゴム２１の存在により、シール性及び耐久性を充足した外壁となり、しかも、各パネルＰの取付金具部周りの空隙ｄ２も断熱材を充填するため、パネル取付部全体がパネルＰ本体部と同等の断熱機能を発揮出来、パネルＰ自体が具備する十分な断熱性を取付金具で損なうことはない。
【００１３】
また、本願帳壁の第２の取付方法の発明は、例えば図８に示す如く、外断熱複合パネルＰ０を備えたコンクリート耐力壁Ｗ間の開口部Ｒ（図１）では、床スラブＳのコンクリート型枠組み時に、アンカー片１３ｄ及び垂直片１３ｂを備え、垂直片１３ｂにはコンクリート止めボックス１３ｃで保護されたボルト１３ｅを前方に横長孔Ｈ４を介して突出させたプレート受１３を、プレート受１３前面に床スラブコンクリートが廻り込まないように設置し、次いで、耐力壁Ｗ部及び床スラブＳへのコンクリート打設によってプレート受１３を床スラブＳ前端部に一体化固定し、次いで、外断熱複合パネルＰの下枠５ｂ下面に位置する各プレート受間Ｌｓには、前縁にシーリングゴム２１を備えた断熱材２０を配置し、次いで、外断熱複合パネルＰの上枠５ａ、及び／又は、下枠５ｂの取付孔Ｈ，Ｈ１と取付プレート１４の水平片１４ａ前部の連結ピン孔Ｈ２とに連結ピン６を挿通係止し、パネル下枠５ｂを係止支承した取付プレート１４の垂直片１４ｂの縦長孔Ｈ５をボルト１３ｅに嵌合してプレート受１３の横長孔Ｈ４とで上下左右位置調整しながら取付プレート１４をプレート受１３にボルト締着し、次いで、各断熱材２０間に存在する取付金具１３，１４周りの空隙ｄ２に現場発泡断熱材を充填して外断熱複合パネルＰのみの帳壁を取付ける。
【００１４】
尚、コンクリート止めボックス１３ｃは、ボルト１３ｅの頭部がコンクリートを被冠しないようにするものであって、ボルト１３ｅを横長孔Ｈ４に挿通した段階で薄鉄板、プラスチック等のボックスをボルト１３ｅ頭部に、ボルトの左右動を許容する状態にかぶせて溶接、接着、ビス止め等の慣用の手段で止着すれば良い。
また、プレート受１３前面に床スラブコンクリートが廻り込まないように設置するに際しては、床スラブ前端部にプレート受１３を囲う形態の切込状の型枠組みをすれば良い。
【００１５】
従って、この取付方法によれば、取付プレート１４とプレート受１３との固定は、横長孔Ｈ４から突出したボルト１３ｅに取付プレート垂直片１３ｂの縦長孔Ｈ５を嵌めてナット１３ｆで締着するため、取付プレート１４の上下、左右の位置調整が自在であり、前後調整は垂直片１４ｂと垂直片１３ｂとの間に板材を挟着すれば可能である。
【００１６】
そして、上下パネルＰ間の大部分を占める取付プレート間Ｌｓに各パネルＰと同等の断熱機能を付与出来て、複合パネルＰのみの張設で形成した帳壁部も耐力壁Ｗ部と均等の断熱壁と出来、シーリングゴム２１の存在により、シール性及び耐久性を充足した外壁となり、しかも、各パネルＰの取付金具部周りの空隙ｄ２も断熱材を充填するため、パネル取付部全体がパネルＰ本体部と同等の断熱機能を発揮出来、パネルＰ自体が具備する十分な断熱性を取付金具で損なうことはない。
【００１７】
また、連結ピン６を全ねじボルトとし、外断熱複合パネルＰの２階以上のパネルＰにあっては上枠５ａの取付孔Ｈのみを、１階のパネルＰにあっては上枠５ａ及び下枠５ｂの連結孔Ｈをねじ孔とし、連結ピン６をねじ孔の連結孔Ｈに螺入固定して取付プレート４，１４の連結ピン孔Ｈ２に挿通係止するのが好ましい。
この場合は、１階のパネル下枠５ｂのみは下方からの連結ピン螺入となるが、下側パネルＰに上側パネルＰを載置する中間階及び最上階にあっては、連結ピン６の螺入作業は上方からの上枠５ａのみへの作業となり、螺入固定した連結ピン６への取付プレート４，１４及び上方パネル下枠５ｂの係止は、連結ピン孔Ｈ２及び取付孔Ｈ１の単なる嵌合となるため、現場作業がし易く、作業性が良い。
【００１８】
また、連結ピン６を全ねじボルトとし、取付プレート４，１４の連結ピン孔Ｈ２をねじ孔として連結ピン６を取付プレート４，１４に螺入固定し、取付プレート４，１４から突出した連結ピン６を上方の外断熱複合パネルＰの下枠５ｂ、及び／又は、下方のパネルＰの上枠５ａの取付孔Ｈ１に挿通係止するのが好ましい。
この場合は、取付プレート４，１４として、連結ピン６を上方にのみ突出したタイプ（１階下枠用）、連結ピン６を上下に突出したタイプ（中間階用）、及び連結ピン６を下方にのみ突出したタイプ（最上階上枠用）の３種を準備することにより、現場での各パネル枠５ａ，５ｂへのねじ穿孔作業が省略出来、現場でのパネル建込時の作業が合理化出来る。
【００１９】
また、外断熱複合パネルＰの下端Ｂｅを床スラブ上面Ｓｆより下方となるように固定するのが好ましい。
この場合は、パネル下端Ｂｅの下側に存在する充填モルタルや断熱材２０（図７）から例え雨水が浸入しても床スラブＳｆの上面への雨水の浸入が阻止出来ると共に、室内側では複合パネルＰの内面材（石膏ボード）が床スラブ上面Ｓｆより下方まで存在するため、内張り等の内装が容易、且つきれいに施工出来る。
【００２０】
また、取付方法の発明に使用する第１の取付金具は、コンクリート床スラブＳに固定するプレート受３と、複合パネルＰの上枠５ａ又は下枠５ｂと当接する取付プレート４と、パネル上枠５ａ、及び／又は、下枠５ｂへ嵌入する連結ピン６とを含み、プレート受３は、水平片３ａと垂直片３ｂを有し、垂直片３ｂが後方へ突出するアンカー片３ｄ及び釘孔Ｈｎを備えると共に、水平片３ａが両側及び後側を囲う立設コンクリート止３ｃを備え、取付プレート４は平鋼板であって前部には連結ピン孔Ｈ２を、後部には固着用孔Ｈｍを備えた金具である。
【００２１】
尚、コンクリート止３ｃは、プレート受の水平片３ａ上面へのコンクリート付着を阻止すれば良いので、薄鉄板の３枚を水平片３ａの３方側縁から立設固定しても、１枚板の両端を折曲起立し、両側の起立片間を細長板で閉止した形態の薄鉄板で水平片３ａを収納状態に溶接固定しても良い。また、アンカー片３ｄはコンクリート配筋とワイヤーで締結し易い形態、及びコンクリートと強固に一体化する形態が有利である。また、取付プレート４の固着用孔Ｈｍは取付プレート４をプレート受３に固着出来れば良いので、慣用のボルト締着用孔でも溶接孔でも良い。
【００２２】
本発明の第１の取付金具（図６）は、釘孔Ｈｎによってプレート受３が型枠の所望位置に固定出来、アンカー片３ｄによって床コンクリートＳに強固に固定出来るため、プレート受３の床スラブＳへの定位置での強固な一体化が可能となり、しかも水平片３ａ上にコンクリートが付着しないように固定出来るため、パネルＰの枠５ａ，５ｂを係止した取付プレート４も水平片３ａ上に密接、且つ強固に止着出来、本願第１の取付方法の発明（請求項１）を好適に実施出来る。
【００２３】
また、プレート受３は、アンカー片３ｄとして先端に下方屈曲部３ｄ´を備えた棒鋼を垂直片３ｂに溶接固定し、コンクリート止３ｃとして薄板の３側辺を起立し、薄板を水平片３ａ下面に当接して各起立片が水平片３ａから起立する形態に溶接固定するのが好ましい。
尚、棒鋼は、異形棒鋼等コンクリート付着力大なものが有利であり、アンカー片３ｄとして複数本配置しても良い。
従って、下方屈曲部３ｄ´は、コンクリート配筋との締結に有利であると共に、床スラブＳとの強力な一体化固定を可能とする。また、コンクリート止３ｃの付設も薄板金の加工、及び当接溶接であるので低コスト、且つ製作容易である。
【００２４】
また、取付プレート４が方形平板であって左右長さＬ４がプレート受の水平片３ａの左右長さＬ３より小であるのが好ましい。
この場合は、取付プレート４が水平片３ａ上で前後左右に移動可能となるため、取付プレート４の水平片３ａ上への固定時の位置調整が自在となり、複合パネルＰは外壁としての外観を保った取付けが容易となる。
【００２５】
また、第２の取付金具（図８）は、コンクリート床スラブＳに固定するプレート受１３と、複合パネルＰの上枠５ａ又は下枠５ｂと当接する取付プレート１４と、パネル上枠５ａ、及び／又は、下枠５ｂへ嵌入する連結ピン６とを含み、プレート受１３は、垂直片１３ｂにアンカー片１３ｄを後方へ突出固定すると共に、釘孔Ｈｎを適所に配設し、垂直片後面に止着したコンクリート止めボックス１３ｃから横長孔Ｈ４を介してボルト１３ｅを前面に突出させ、取付プレート１４は、断面アングル形状の鋼板であって、後部の垂直片１４ｂにはボルト１３ｅの挿通用縦長孔Ｈ５を配置し、水平片１４ａの前部には連結ピン孔Ｈ２を配設したものである。
【００２６】
尚、止めボックス１３ｃは横長孔Ｈ４内でボルト１３ｅ頭部が左右動出来る形態にコンクリート付着を阻止するものであって図８（Ａ）の如き長方形ボックスであり、垂直片１３ｂの内側に止着するものであって材質及び止着手段は問わない。
従って、第２取付金具は、外断熱複合パネルＰの枠５ａ，５ｂを係止した取付プレート１４が、プレート受１３のボルト１３ｅを垂直片１４ｂの縦長孔Ｈ５に挿通して、ボルト１３ｅの横長孔Ｈ４での左右移動及び縦長孔Ｈ５での上下移動により、上下左右調整自在であり、且つ、前後位置調整は取付プレート垂直片１４ｂとプレート受垂直片１３ｂ間への板材の介在で可能であり、本願第２の取付方法の発明（請求項２）を好適に実施出来る。
【００２７】
また、取付金具に於いては、連結ピン６が全ねじボルトであり、取付プレート４，１４の連結ピン孔Ｈ２が連結ピン挿通用孔とするのが好ましい。
この場合、連結ピン６は、パネルＰの上枠５ａに螺合止着して連結ピン孔Ｈ２に嵌入する（最上階）か、パネルＰの下枠５ｂに螺合止着して連結ピン孔Ｈ２に嵌入する（１階）か、パネルＰの上枠５ａに螺合止着して取付プレート連結ピン孔Ｈ２及びパネルＰの下枠５ｂに嵌入する（中間階）か、によりパネルＰと取付プレート４，１４との連結ピン６での挿通係止が容易に実施出来、パネルＰの床スラブＳに対する張設が容易に実施出来る。
【００２８】
また、連結ピン６が全ねじボルトであり、取付プレート４，１４の連結ピン孔Ｈ２が連結ピン螺合用ねじ孔としても良い。
この場合は、連結ピン６は、予め取付プレート４，１４に固定した状態としておき、１階のパネル下枠５ｂとの係止は、取付プレート４，１４上に嵌合するだけであり、中間階にあっても下方パネルＰの上枠５ａに取付プレート４，１４から下方に突出した連結ピン下半部を挿入し、連結ピン上半部には上方パネル下枠５ｂを嵌合すれば良く、最上階パネルＰにあっては、上枠５ａの取付孔Ｈに連結ピン６を挿嵌すれば良く、パネルＰの上枠５ａおよび下枠５ｂへの現場でのねじ穴穿孔が不要となって現場作業が簡略化出来る。
【００２９】
【発明の実施の形態】
〔例１〕
〔取付金具（図６）〕
図６の分解斜視図に示す如く、取付金具はプレート受３、取付プレート４及び連結ピン６から成り、プレート受３は、７５mm×７５mmで厚さ６mmの等辺山形鋼の長さＬ３が２００mmのアングル片で水平片３ａ、垂直片３ｂを構成し、垂直片３ｂには、両側部に釘孔Ｈｎを配置し、中央部に直径１９mmで先端に５０mm長の下方屈曲部３ｄ´を形成した長さ１５０mmのアンカー片３ｄを後方へ若干傾斜形態に溶接固定する。
【００３０】
そして、コンクリート止３ｃは、底板３ｃ´が水平片３ａの裏面に当接し、両端縁及び後縁が水平片３ａの上面より起立高さ３ｔが２０mmで水平片３ａの両側及び後側を囲う形態に薄鋼板（１．６mm厚）の板金加工で形成し、水平片３ａを収納する形態に底板３ｃ´を水平片３ａ下面に当接し、底板３ｃ´を水平片３ａ下面に溶接固定する。
【００３１】
また、取付プレート４は、前後幅Ｗ４が１６０mm、長さＬ４が１８０mmで９mm厚の方形鋼板であり、前部には前端より３０mmの位置に連結ピン孔Ｈ２（１５mm径）を両側に穿孔し、後部中央には後端より３０mmの位置に固定孔Ｈｍ（２５mm径）を穿孔したものである。
また、連結ピン６は尖端６ｔを備えた１２mm径、７５mm長の全ねじボルトである。
【００３２】
〔外断熱複合パネル（図５）〕
使用するパネルＰは、図５に示すとおり、外側の押出成形セメント板Ｐａと中間部の断熱層Ｐｂと内側の石膏ボードＰｃとを備えたものであり、７５mm×７５mmで厚さ６mmの等辺山形鋼（アングル鋼）の上枠５ａ及び下枠５ｂと、上下枠を連結する鋼板側枠５ｃとから成る枠体を有し、標準的パネルＰにあっては、幅Ｌｃが６００mmのセメント板Ｐａの３枚をＺクリップで上枠５ａ及び下枠５ｂに係止した幅Ｌｐが１８００mmのものであり、上下長は使用階で異なり（１階用は中間階用より長い）、また建物に応じて種々のサイズに形成する。
【００３３】
そして、各セメント板Ｐａの幅Ｌｃの中間部では、上枠５ａにねじ孔の取付孔Ｈ２個ずつ、下枠５ｂに取付金具の連結ピン６挿通用の取付孔Ｈ１２個ずつを配すると共に、上下枠５ａ，５ｂにはパネルＰの吊上げに用いるアイボルト用孔Ｈ３を配置したものであり、典型的には特許第２９９９９８０号の外断熱用複合パネルである。
【００３４】
〔外断熱複合パネルの取付け〕
図１は、本発明の鉄筋コンクリート壁式構造建築物に於いて、外断熱複合パネルＰを帳壁として張設した形態の一部破断斜視図であって、Ｗは、従来手法で図９に示す如く外断熱複合パネルＰ０を外型枠に用いてコンクリート壁と一体化張設した耐力壁であり、耐力壁Ｗ間にはコンクリート壁の存在しない開口部Ｒがあり、本願発明は、該開口部Ｒに外断熱複合パネルＰのみを帳壁として取付けるものである。
【００３５】
図１に示す如く、基礎構造体１のコンクリート打設時にも断熱材２をコンクリートの外側に一体化し、また、複合パネルＰは、３枚の各セメント板Ｐａの中央部で取付金具３，４によって上下の床スラブＳに張設する。
外断熱複合パネルＰは、予め床スラブＳに固定したプレート受３に取付けプレート４を介して取付けるものであり、プレート受３は床スラブＳのコンクリート型枠組み時に型枠内に配置するものである。
【００３６】
即ち、図６に示すプレート受３を、開口部Ｒ（図１）に割付け墨出したパネルＰのセメント板Ｐａ中央位置の、慣用の床スラブＳの外側型枠（図示せず）の内面に垂直片３ｂ前面を当接し、且つ、図２，図３の如く床スラブ上面Ｓｆより水平片３ａ上面がｄ３（２０mm）下方位置を占める形態に、垂直片３ｂの釘孔Ｈｎを介して床スラブＳの外側の立上り型枠板（図示せず）に釘打ち固定すると共に、アンカー片３ｄも型枠内の配筋と針金で締結する。
【００３７】
次いで、慣用のコンクリート打設による床スラブＳの形成により、垂直片３ｂ前面が床スラブＳ前端面と面一で、水平片３ａ上面はコンクリート止３ｃでコンクリート付着の無い状態に、プレート受３を床スラブＳ前端に強固に一体化固定する。
尚、プレート受３の床スラブＳへの一体化固定は各階共通であるが、１階のみは床スラブＳ外端の断熱材２（図１，図３）の外側に配置した型枠用合板か木片（図示せず）にプレート受３を釘孔Ｈｎを介して釘打ちする。
【００３８】
次いで、１階床にあっては、図３に示す如く、複合パネルＰの下枠５ｂのねじ孔の取付孔Ｈから全ねじボルトの連結ピン６をパネルＰ内に螺入し、連結ピン６の余端を取付プレート４の連結ピン孔Ｈ２に嵌入した状態で取付プレート４をプレート受の水平片３ａ上に前後左右の位置調整をし、若し、上下微調整が必要な場合は水平片３ａと取付プレート４間に調整板（飼物）を介在して載置し、固定孔Ｈｍを介して取付プレート４をプレート受３の水平片３ａに溶接固定する。
【００３９】
尚、取付プレート４のプレート受３への固定に先立って、断熱材２（図３）上の各プレート受間には、パネルＰと断熱材２との間隙ｄ２（２０mm）の厚みを有し、断熱材２と同幅の断熱材片（図示せず）を断熱材２上に貼着しておき、パネルＰ取付後には、取付金具のために出来た金具３部材（プレート受、取付プレート、連結ボルト）間の隙間ｄ２には現場発泡ウレタンフォームを充填し、プレート受３上のコンクリート止３ｃ内等の空間にモルタル充填する。
【００４０】
２階以上の中間階にあっては、図２に示す如く下側パネルＰの上枠５ａのねじ孔の取付孔Ｈに連結ピン６の下半を螺入固定し、上枠５ａ上に突出する連結ピン６に取付プレート４の連結ピン孔Ｈ２を嵌め、取付プレート４を上枠５ａと共に位置調整の下にプレート受３の水平片３ａ上に載置し、固定孔Ｈｍでの溶接により取付プレート４をプレート受３に固定し、次いで、上方パネルＰの下枠５ｂの取付孔Ｈ１を取付プレート４から上方に突出する連結ピン６に嵌入して上方パネルPの下枠５ｂを取付プレート４上に載置係止する。
【００４１】
また、上下各パネル間にあっては、図７に示す如く、取付金具３，４の存在しない取付プレート４間Ｌｓ（図１）では、パネルＰの断熱層Ｐｂの幅Ｗｂと等しい幅の断熱材２０の先端にシーリングゴム２１を貼着した厚さｄ２（２０mm）の細長片を、予め下側パネル上枠５ａ上に接着しておき、上下パネルを取付金具３，４に取付けた後には、取付金具３，４の存在する隙間ｄ２には現場発泡ウレタンフォームを充填し、コンクリート止３ｃ内及びプレート受とパネル間隙間ｄ４にはモルタル充填を施し、上下パネル間横目地には、図７の如くバッカ−２２を介してシーリング２３を施す。
【００４２】
尚、各階のパネルＰの取付部は、共に、床スラブ上面Ｓｆとプレート受水平片３ａ上面との寸法ｄ３は２０mm、上方パネル下端Ｂｅと下方パネル上端Ｂｔ間寸法ｄ２は２０mm、床スラブ上面Ｓｆと上方パネル下端Ｂｅとの寸法ｄ１は１１mmであり、床スラブ上面Ｓｆよりパネル下端Ｂｅがｄ１（１１mm）低いことにより、パネル下端部Ｂｅからの雨水の床スラブ上面Ｓｆへの侵入を阻止する構成とする。
【００４３】
最上階にあっては、図４に示す如く、パラペットの型枠組み時に、プレート受３の水平片３ａ上面とパラペット上面Ｐｆとが寸法ｄ３（２０mm）を保ち、且つ垂直片３ｂ前面を型枠板（図示せず）に当接した状態で垂直片３ｂを釘孔Ｈｎを介して釘打ちにより型板に固定し、アンカー片３ｄもパラペット内配筋と針金で締結し、パラペットのコンクリート打設によりプレート受３をパラペットと一体化固定する。
【００４４】
次いで、セメント板Ｐａが上枠５ａより上方に突出した最上階用の外断熱複合パネルＰの上枠５ａのねじ穴の取付孔Ｈに、全ねじボルトから成る連結ピン６を螺入固定し、取付プレート４の連結ピン孔Ｈ２を連結ピン６に嵌合して取付プレート４を前後左右調整し、固定孔Ｈｍを介して取付プレート４をプレート受３の水平片３ａ上に溶接固定する。
次いで、コンクリート止３ｃ部、隙間ｄ４及びパネル上枠５ａ上にモルタル充填し、慣用の防水処理を施す。
【００４５】
本実施例によれば、取付金具のプレート受３の床スラブＳへの固定が簡単、且つ強固に実施出来、工場生産された複合パネルＰを取付プレート４によって位置調整自在に、且つ、各パネルＰ間にも十分な断熱機能を付与した形態に床スラブＳに張設出来る。
従って、鉄筋コンクリート造壁式構造の外断熱建築物に於いて、耐力壁Ｗ部以外のコンクリート外壁を全て開口部Ｒとし、該開口部ＲにはパネルＰのみで帳壁を形成するという、全く新規で業界では画期的な新工法によって、コンクリート壁型枠工が大幅に低減出来、且つ、外壁コンクリート使用量の低減に伴う建物軽量化による基礎工事の容易化とも相俟って、建築コストを大幅に低減し、外断熱機能の面でも従来建物に全く遜色の無い鉄筋コンクリート造壁式構造建築物の提供が可能となった。
【００４６】
〔例２〕
〔取付金具（図８）〕
図８（Ａ）に示す如く、プレート受１３と取付プレート１４と連結ピン６とから成り、プレート受１３は、長さＬ１３が１８０mm、高さＨ１３が１７０mmで厚さ９mmの方形垂直鋼板であり、内側上方両側に、直径１３mmの棒鋼で８０mm長の下方屈曲部１３ｄ´を備えた１５０mm長のアンカー片１３ｄを溶接固定し、四隅に釘孔Ｈｎを穿設すると共に、上端から６０mm下方、且つ両端から３０mmの位置を中心とする幅２５mm、長さ３０mmの横長孔Ｈ４を２個穿設し、２２mm径のボルト１３ｅを各横長孔Ｈ４の内側から外側へ突出し、内側では、長さ６０mm、高さ５０mm、奥行２０mmの鋼板製ボックス１３ｃをコンクリート止として各ボルト１３ｅを収納する形態に溶接固定する。
【００４７】
また、取付プレート１４は、９mm厚、左右長さＬ１４１８０mmで、前後幅Ｗ１４が１２７mmの水平片１４ａと上下高さＨ１４が１４０mmの垂直片１４ｂとを備えたアングル鋼板であって、水平片１４ａの前部には前端より３０mmの位置に１５mm径の連結ピン孔Ｈ２を２個穿孔し、垂直片１４ｂには、上端より６０mm下方で側端より３０mmの位置を孔芯とする幅２５mm、長さ３０mmの縦長孔Ｈ５を２個穿設したものであり、プレート受１３の横長孔Ｈ４に嵌入した各ボルト１３ｅを取付プレート１４の縦長孔Ｈ５から突出させて取付プレート１４をプレート受１３に対して上下左右動調整してナット１３ｆで両者を締着するものである。
また、連結ピン６は、例１での取付金具（図６）での連結ピン６と同一物である。
【００４８】
〔外断熱複合パネルの取付け（図８）〕
使用する外断熱複合パネルＰは、例１に用いたのと同一である。
そして、各階共取付プレート１４は、例１と同じく予め床スラブＳのコンクリート打設によって床スラブＳと一体化固定するが、床スラブＳのコンクリート型枠組み時に、外側型枠で床スラブ前端にボルト１３ｅの締着操作に必要な凹部を型組みし、該凹部型板にプレート受１３の垂直片１３ｂを内側から当接して釘孔Ｈｎを介してプレート受１３をコンクリート型に固定し、アンカー片１３ｄを床スラブＳ内配筋と締結した状態でスラブコンクリートを打設してプレート受１３を床スラブＳの凹部前端に一体化固定する。
【００４９】
また、取付プレート１４の水平片１４ａと上下各パネルＰの上枠５ａ及び下枠５ｂとの連結ピン６による挿通係止は、例１のそれと同じ操作で実施する。
そして、取付プレート１４のプレート受１３への取付けは、図８（Ｂ）に示す如く、取付プレート１４の垂直片１４ａの縦長孔Ｈ５を取付プレート１４側に支承されたボルト１３ｅの突出部に嵌め、取付プレート１４を係止しているパネルＰと共に取付プレート１４に対して上下左右の必要な位置調整をしてナット１３ｆを締着する。若し、取付プレート１４に前後動調整の必要が生じた際には、両垂直片１３ｂ，１４ｂ間に鉄板等を飼物として挟み込む。
【００５０】
例２の外断熱複合パネルＰの取付け手段にあっては、例１の手段に対して、取付プレート１４の、上下動調整はよりスムーズとなるが、前後動調整は飼物介在の手間を要するようになる。また、プレート受１３の前面にナット締着用の凹部が存在するため、パネルＰと床スラブＳ前面との空間ｄ５が広くなり、空間ｄ５へのモルタル充填に際しては床スラブＳの下面を介してモルタル受け板を設ける必要が生じるが、上下パネル間での、取付金具間への断熱材２の貼着付与及び取付金具部への現場発泡断熱材（典型的にはウレタンフォーム）充填付与は、例１のそれと同じに施工出来る。
従って、例２のパネル取付方法によっても、例１の場合同様の新規、且つ業界で画期的な、建築コストの低減化を達成した鉄筋コンクリート造壁式構造の外断熱建築物の提供が可能となる。
【００５１】
【発明の効果】
取付金具の固定側としてのプレート受３，１３の床スラブＳへの固定は、コンクリート型枠組み時に所定位置に設置し、床コンクリート打設によって床スラブＳの前端部に一体化固定するため、位置設定が容易であって強固に固定出来る。また、プレート受３，１３の取付プレート４，１４当接面としての取付プレート４の上面及び取付プレート１４の垂直片１４ｂ前面には打設コンクリートの付着がないため、外断熱複合パネルＰを係止した取付プレート４，１４は、平滑な面摺動の保障の下で微細な位置調整が可能となり、鉄筋コンクリート造建築物の外壁としての均斉外観を備えた外壁が複合パネルＰの張設のみによって容易に形成出来る。
【００５２】
また、上下パネルＰ間の大部分を占める取付プレート間Ｌｓに各パネルＰと同等の断熱機能を付与出来て、複合パネルＰのみの張設で形成した帳壁部も耐力壁Ｗ部と均等の断熱壁と出来、シーリングゴム２１の存在により、シール性及び耐久性を充足した外壁となり、しかも、各パネルＰの取付金具部周りの空隙ｄ２も断熱材を充填するため、パネル取付部全体がパネルＰ本体部と同等の断熱機能を発揮出来、パネルＰ自体が具備する十分な断熱性を取付金具で損なうことはない。
また、外断熱複合パネルＰの取付プレート４，１４への係止は、パネル枠の取付孔Ｈ，Ｈ１と取付プレート４，１４の連結ピン孔Ｈ２とを連結ピン６の挿入係止によって実施するため現場作業が簡単、且つ容易である。
【００５３】
更に、複合パネル自体は工場生産されるものであるため、躯体工事を先行し、躯体コンクリートの圧縮強度が設計基準強度以上となるまで（コンクリートの打設後２８日以上経過の規定あり）の間に複合パネルを準備すれば良いので、パネルの製作、準備に自由度があり、また、コンクリートの支柱取外しまでの期間内に複合パネルを張設することで敷地の狭い建物にも対応出来る。また、複合パネルＰの取付作業は連続して施工出来るため作業性が良い。
【００５４】
従って、本願発明によって、従来の鉄筋コンクリート造壁式構造の外断熱建築物では予想すら出来なかった、新規、且つ画期的な、耐力壁Ｗ部以外の外壁全てのコンクリート壁が複合パネルに置換された鉄筋コンクリート造壁式構造の外断熱建築物の提供が可能となり、コンクリート外壁を除去したための、コンクリート型枠使用量の大幅減少による建築コスト低減化、外壁コンクリート使用量の大幅低減による建築物の軽量化に伴なう基礎工のコストダウン、工場生産された均質なパネルの取付金具による簡便、且つ作業性の良い取付作業と、コンクリート躯体工事との合理的な作業配分による帳壁形成等により、鉄筋コンクリート造壁式構造の外断熱建築物が従来よりはるかに低コストで提供可能となる。
【図面の簡単な説明】
【図１】本発明外壁構造の説明斜視図。
【図２】中間階でのパネル取付構造説明図であって、（Ａ）は断面図、（Ｂ）は斜視図である。
【図３】１階でのパネル取付構造説明図であって、（Ａ）は断面図、（Ｂ）は斜視図である。
【図４】最上階でのパネル取付構造説明図であって、（Ａ）は断面図、（Ｂ）は斜視図である。
【図５】本発明に使用する外断熱複合パネルの一部切欠斜視図である。
【図６】本発明に用いる第１の取付金具の分解斜視図である。
【図７】外断熱複合パネル取付部の取付金具の存在しない個所の説明斜視図である。
【図８】本発明に用いる第２の取付金具の分解斜視図である。
【図９】従来の鉄筋コンクリート造外断熱壁の説明図であって、（Ａ）は各種タイプの断面図、（Ｂ）は型枠への壁コンクリート打設状態説明断面図である。
【図１０】従来の鉄骨造建築物に於ける複合パネル張設説明斜視図である。
【符号の説明】
１：基礎構造体、      ２，２０：断熱材、        ３，１３：プレート受、
３ａ：水平片、        ３ｂ，１３ｂ：垂直片、    ３ｃ：コンクリート止、
３ｄ，１３ｄ：アンカー片、      ３ｄ´，１３ｄ´：屈曲部、
４，１４：取付プレート、    ５ａ：上枠、        ５ｂ：下枠、
６：連結ピン、        １３ｃ：コンクリート止めボックス、
１３ｅ：ボルト、      １４ａ：水平片、          １４ｂ：垂直片、
２１：シーリングゴム、    ２２：バッカ−、      ２３：シーリング、
Ｈ：取付孔（ねじ孔）、  Ｈ１：取付孔（嵌入孔）、    Ｈ２：連結ピン孔、
Ｈｎ：釘孔、          Ｈｍ：固定孔                Ｓ：床スラブ、
Ｓｆ：床スラブ上面、  Ｐ，Ｐ０：外断熱複合パネル、
Ｐａ：セメント板、    Ｐｂ：断熱層、              Ｐｃ：石膏ボード、
Ｒ：開口部、          Ｗ：耐力壁
【図１】
0003621054.tif 000002
【図２】
0003621054.tif 000003
【図３】
0003621054.tif 000004
【図４】
0003621054.tif 000005
【図５】
0003621054.tif 000006
【図６】
0003621054.tif 000007
【図７】
0003621054.tif 000008
【図８】
0003621054.tif 000009
【図９】
0003621054.tif 000010
【図１０】
0003621054.tif 000011